(57)【要約】      （修正有）【課題】駐車装置に太陽光を追尾できるソーラー発電装置を設け空間を有効利用した二段式駐車装置用ソーラー発電装置を提供する。【解決手段】二段式駐車装置の前支柱の頂点１２と後支柱の頂点５に田の字構造６の盤面の中心梁を水平に連結支持され、尚且つ前支柱１の側面から延長されたシリンダーを田の字構造に連結支持し、盤面を左右方向に揺動できるという制御手段を有する構造と、複数の長方形ソーラーパネル４を二列に並置させ、ソーラーパネルの左右両短辺の中心点がそれぞれ梁に連結支持され、なお且つソーラーパネルの列の内側の短辺の中心点に揺動レバー８の片方が固定され、揺動レバーの反対方が連結棒３に連結支持され、一方、田の字構造の梁から延長されたシリンダー７を連結棒に連結支持し、シリンダーの伸縮駆動により連結棒と揺動レバーに連結されたソーラーパネルの各盤面が揃って前後方向に揺動できるという制御手段を有する構造を具備すること。【選択図】図１
0003192913.tif 000002
【実用新案登録請求の範囲】
【請求項１】
二段式駐車装置の前支柱の頂点と後支柱の頂点に、田の字構造のソーラーパネルを水平に連結支持され、シリンダーの伸縮駆動でソーラーパネルの盤面が前後或いは左右方向に角度修正揺動できるという方向制御手段を有する構造を具備することを特徴とする二段式駐車装置用ソーラー発電装置。
【考案の詳細な説明】
【技術分野】
【０００１】  本考案は、二段式駐車装置に設置されるソーラー発電装置に関するものである。
【背景技術】
【０００２】当考案者は、下段車両に干渉することなく入出庫できる二段式駐車装置を先に提案している（実願２０１４−０００５０７号）。その駐車装置に屋根がなく、上部空間の有効利用するためソーラー発電装置を設置。一般的な駐車場屋根用ソーラー発電装置としては、矩形平面状のソーラーパネル面を屋根の傾斜面に沿って敷設させ、固定させるようにしたものがある。
【考案の概要】
【考案が解決しようとする課題】
【０００３】一般的な駐車場屋根用ソーラー発電装置は、ソーラーパネル面が常に一定方向に向けられ、殆んど太陽光が斜めに入射される状態となるため、ソーラーセルへの光照射効率が低下して発電能力が低減してしまうという問題点を有していた。本考案は先に提案している駐車装置に太陽光を追尾できるソーラー発電装置を設け空間を有効利用する。
【課題を解決するための手段】
【０００４】本考案は二段式駐車装置の前支柱の頂点と後支柱の頂点に田の字構造の盤面の中心梁を水平に連結支持され、尚且つ前支柱の側面から延長されたシリンダーを田の字構造に連結支持し、盤面を左右方向に揺動できるという制御手段を有する構造と、複数の長方形ソーラーパネルを二列に並置させ、ソーラーパネルの左右両短辺の中心点がそれぞれ梁に連結支持され、なお且つソーラーパネルの列の内側の短辺の中心点に揺動レバーの片方が固定され、揺動レバーの反対方が各列それぞれ連結棒に連結支持され、一方、田の字構造の梁から延長されたシリンダーを連結棒に連結支持し、シリンダーの伸縮駆動により連結棒と揺動レバーに連結されたソーラーパネルの各盤面が揃って前後方向に揺動できるという制御手段を有する構造を具備すること。
【考案の効果】
【０００５】本考案の効果は、先の考案の二段式駐車装置の上部に設置し、左右及び前後方向角度修正シリンダーを駆動することによって、四季折々の太陽の位置に合わせながら毎日の日の出から日没までにかけて太陽の位置をソーラーパネルが追尾することができる。ソーラーパネルの盤面が日中常に太陽の位置する方向へ向くため、固定式のソーラー発電装置に比べて約１．３倍の発電量を得ることができる。よって本考案の利点は駐車装置の上部空間をより有効に利用でき、さらに駐車中の車に対し直射日光を遮断する屋根の役割を果たすことにある。
【図面の簡単な説明】
【０００６】
【図１】本考案のソーラー発電装置の側面図である。
【図２】図１の一部切欠立体図である。
【図３】図１のＢ−Ｂ線矢視図である。
【図４】ソーラーパネル４の前後方向に揺動する動作説明図その一である。
【図５】ソーラーパネル４の前後方向に揺動する動作説明図その二である。
【図６】ソーラーパネル４の前後方向に揺動する動作説明図その三である。
【図７】ソーラーパネル４の前後方向に揺動する動作説明図その四である。
【図８】田の字構造６の左右方向に揺動する動作説明図その一である。
【図９】田の字構造６の左右方向に揺動する動作説明図その二である。
【図１０】田の字構造６の左右方向に揺動する動作説明図その三である。
【符号の説明】１  前支柱  ２  後支柱  ３連結棒  ４  ソーラーパネル
５  後支柱の頂点  ６  田の字構造  ７  シリンダー
８  揺動レバー  ９  太陽位置  １０  ソーラーパネル４の左右両辺の中心点
１１  シリンダー  １２  前支柱の頂点
１３  梁１３  １４  梁１４  １５  梁１５  １６  梁１６  １７  梁１７  １８  梁１８
【実施例】
【０００７】以下、図面を参照して本考案の実施例を説明する。図１は本考案の二段式駐車装置用ソーラー発電装置の一例についてその構成を示す側面図で、ソーラーパネル４が前方太陽の位置を追尾する状態を示す。
図２はソーラー発電装置の立体図で二列のソーラーパネル４の内一列を取り外した状態である。
図３は図１のＢ−Ｂ線矢視図である。
図４〜図７は動作説明図でソーラーパネル４の前後方向に揺動する状態を示した側面図である。
図８〜図１０は田の字構造６の左右方向に揺動する状態を示した図１のＢ−Ｂ線矢視図である。【０００８】本二段式駐車装置用ソーラー発電装置は二段式駐車装置の頂きに設置する装置である。図１〜図３に示すように、二段式駐車装置は当考案者が先に提案している。下段の駐車スペースの片側に立設固定された前支柱１と後支柱２を有し、該前支柱と後支柱に上下２本の溝形鋼の梁を水平平行に架設固定され、車輪を上下ともに装着される走行駆動機構が該２本の溝形鋼の梁に案内されて横方向に駆動移動することができ、上段の車載パレットを片持ち支持する昇降駆動機構は、水平旋回できるように蝶番で走行駆動機構と連結し鉛直に支持され、さらに昇降駆動機構の頂きに固定されたレバーと走行駆動機構との間にシリンダーで連結され、シリンダーの伸縮運動により昇降駆動機構は水平方向に約９０°旋回し得るようになっており、その下段の駐車スペースに収容されている車両を避けながら上段に車両を出し入れできるという構造である。【０００９】図１〜図３に示すように、ソーラー発電装置は梁１３から梁１８までの６本の梁からなる田の字構造６を有し、梁１３の中心位置及び梁１４の中心位置がそれぞれ二段式駐車装置の前支柱１の頂点１２と後支柱２の頂点５に水平に連結支持され、田の字構造６が左右方向に揺動でき、前支柱１の左或いは右のどちらかの側面から延長された伸縮自在なシリンダー１１を田の字構造６の梁１３に連結支持し、シリンダー１１の伸縮調整で田の字構造６の盤面を左右方向に揺動できるという方向制御手段を有する構造と、複数のソーラーパネル４を二列に並置させ、その左右両辺の中心点１０がそれぞれ梁１５、梁１６及び梁１７に連結支持され、梁１７側のソーラーパネル４の辺の中心点１０に揺動レバー８の片方が固定され、揺動レバー８の反対方が連結棒３に連結支持され、一方、田の字構造６の梁１４の中心点から延長された伸縮自在なシリンダー７を連結棒３に連結支持し、シリンダー７の伸縮調整ですべてのソーラーパネル４の盤面が揃って前後方向に揺動できるという方向制御手段を有する構造を具備することを特徴とする二段式駐車装置用ソーラー発電装置である。【００１０】図４〜図７は動作説明図でソーラーパネル４の前後方向に揺動する状態を示した側面図である。シリンダー７が伸びた状態から縮んだ状態へ収縮駆動することによってソーラーパネル４の盤面が揃って前から後方向へと揺動する。最大で水平線との角度が約６５°から−６５°まで揺動できる。【００１１】図８〜図１０は田の字構造６の左右方向に揺動する状態を示した図１のＢ−Ｂ線矢視図である。シリンダー１１が伸びた状態から縮んだ状態へ収縮駆動することによって田の字構造６が左から右方向へと揺動する。最大で水平線との角度が約５０°から−５０°まで揺動できる。
【図１】
0003192913.tif 000003
【図２】
0003192913.tif 000004
【図３】
0003192913.tif 000005
【図４】
0003192913.tif 000006
【図５】
0003192913.tif 000007
【図６】
0003192913.tif 000008
【図７】
0003192913.tif 000009
【図８】
0003192913.tif 000010
【図９】
0003192913.tif 000011
【図１０】
0003192913.tif 000012
【手続補正書】
【提出日】平成26年6月27日(2014.6.27)
【手続補正１】
【補正対象書類名】実用新案登録請求の範囲
【補正対象項目名】請求項１
【補正方法】変更
【補正の内容】
【請求項１】
二段式駐車装置の前支柱の頂点（１２）と後支柱の頂点（５）に田の字構造（６）の盤面の中心梁を水平に連結支持され、尚且つ前支柱（１）の側面から延長されたシリンダーを田の字構造に連結支持し、盤面を左右方向に揺動できるという制御手段を有する構造と、複数の長方形ソーラーパネル（４）を二列に並置させ、ソーラーパネルの左右両短辺の中心点（１０）がそれぞれ梁に連結支持され、なお且つソーラーパネルの列の内側の短辺の中心点に揺動レバー（８）の片方が固定され、揺動レバーの反対方が連結棒（３）に連結支持され、一方、田の字構造の梁から延長されたシリンダー（７）を連結棒（３）に連結支持し、シリンダー（７）の伸縮駆動により連結棒（３）と揺動レバー（８）に連結されたソーラーパネル（４）の各盤面が揃って前後方向に揺動できるという制御手段を有する構造を具備することを特徴とする二段式駐車装置用ソーラー発電装置。